(57)【要約】【課題】  原子力プラントで使用される機器を容易、且つ漏れなく抽出するとともに、過去の点検履歴の管理と今後の点検予定の計画立案を確実に行うことができる点検履歴管理システムを提供する。【解決手段】  原子力プラントで使用される機器には、定期点検を必要とする機器が多数ある。これらは機器毎に点検周期，点検内容が異なる為、機器毎に固有の機器ＩＤと点検時期，点検内容等を含む機器属性データを記憶したＲＦＩＤタグを取り付ける。各機器に取り付けたＲＦＩＤタグの機器属性データをリーダーで読み取り、そのデータを機器管理端末に与える。機器管理端末は、機器属性データに基づき、複数の機器の点検時期，点検内容等を管理する。点検を実施する項目は機器管理端末より抽出し、点検を実施した際にライタによりＲＦＩＤタグの属性データヘ点検履歴情報として、最新の点検実施日を入力（属性データの書き換え）する。【選択図】図１
2007026128.tif 000002
【特許請求の範囲】
【請求項１】
非接触で点検履歴情報が書き込まれたＲＦＩＤタグから読み込まれた点検履歴情報を、前記点検対象機器を識別する識別情報と共に受けとる受信部と、前記識別情報の各々に対応づけて前記点検履歴情報を記憶する記憶部を有することを特徴とする点検履歴管理装置。
【請求項２】
請求項１において、前記点検履歴は点検時期であり、前記識別情報は機器属性データであることを特徴とする点検履歴管理装置。
【請求項３】
請求項２において、前記点検時期は点検が実施された作業日あるいは作業日時であり、さらに、前記作業にかかれた作業者の作業者識別情報を受けとり、前記作業者識別情報を前記機器属性データに対応づけて記憶することを特徴とする点検履歴管理装置。
【請求項４】
請求項３において、前記点検を確認した確認者識別情報を受けとり、前記確認者識別情報を前記機器属性データに対応づけて記憶することを特徴とする点検履歴管理装置。
【請求項５】
請求項２において、前記作業日あるいは作業日時の情報を受けとる毎に、それまでの点検履歴情報に追加して記憶することを特徴とする点検履歴管理装置。
【請求項６】
機器に付着して設置されるＲＦＩＤタグにおいて、前記機器を識別するための機器識別情報を記憶する機器識別記憶領域と、前記機器の点検履歴に関する情報である点検履歴情報を記憶する点検履歴情報記憶領域を有し、前記点検履歴情報記憶領域は非接触で前記点検履歴情報が書き込まれ、前記点検履歴情報記憶領域に書き込まれた点検履歴情報は非接触で読み込まれるように構成されるＲＦＩＤタグ。
【発明の詳細な説明】
【技術分野】
【０００１】
本発明は、点検履歴管理装置及びＲＦＩＤタグに係り、特に、原子力プラントで使用されている複数の機器の点検履歴，点検時期を管理するのに好適な点検履歴管理装置及び
ＲＦＩＤタグに関するものである。
【背景技術】
【０００２】
原子力プラント等には多数の機器（機械品，電気品，計装品等）が使用されている。一方、機器管理等のためにタグを付して、例えば、交換時期等をタグに記憶させておく技術が知られている。この技術は、例えば、特開２００３−３２４８１２号公報に記載されている。
【０００３】
【特許文献１】特開２００３−３２４８１２号公報
【発明の開示】
【発明が解決しようとする課題】
【０００４】
プラント運転を安全に行うためには、定期的な点検が必要であり、前回の点検から、機器種別の固有の点検周期にて、機器の点検履歴を管理し、また、点検計画を立案しなければならない。
【０００５】
しかしながら、上記の従来技術では、単に、交換時期等を固定的にタグに記憶させており、定期的な周期での点検結果を蓄積する点検履歴には配慮がなかった。
【０００６】
実際の場合では、定期点検を要する機器はドキュメントベースで管理しており、定期点検については、推奨する点検周期を取扱説明書等に記載して注意を喚起していた。
【０００７】
本発明の目的は、点検履歴の管理が可能となる点検履歴管理装置及びＲＦＩＤタグを提供することにある。
【課題を解決するための手段】
【０００８】
上記目的を達成するために、本発明では、非接触で点検履歴情報が書き込まれたＲＦＩＤタグから読み込まれた点検履歴情報を、点検対象機器を識別する識別情報と共に受けとり、識別情報の各々に対応づけて点検履歴情報を記憶するように構成した。
【発明の効果】
【０００９】
本発明によれば、点検履歴の管理が可能となるとの効果が得られる。
【発明を実施するための最良の形態】
【００１０】
まず、発明を実施するための最良の形態を原子力プラントを例として概念的に説明すると、原子力プラントで使用される複数の機器毎に機器ＩＤと点検時期を含む機器属性データが記憶されているＲＦ１Ｄタグを取り付け、リーダーによってＲＦＩＤタグから読み取った機器属性データに基づき、複数の機器の点検履歴，点検時期を機器管理端末により管理することにより、点検機器の抽出を容易、且つ漏れなく短時間で行うとともに、機器の点検を確実に行えることを実現した。また、機器管理端末より抽出した機器データと、点検作業日、および作業従事者と作業確認者の個人ＩＤから点検記録の自動生成を行うので、点検記録作成工数の低減が図られる。
【実施例１】
【００１１】
以下、本発明における実施例について図面を参照して説明する。図１に本発明の実施例を示す。原子力プラントには、配電盤１がｎ台設置されている。配電盤１には定期点検を必要とする機器２が実装されている。機器２には、機器の認識番号（機器ＩＤ）と点検時期を含む機器属性データが記憶されているＲＦＩＤタグが取付けられている。
【００１２】
ＲＦＩＤタグ３は、２．４５ＧＨｚの高周波アナログ回路を有するＲＡＭ型タグで、認識番号（機器ＩＤ），型式，使用開始年月，点検日などの機器属性データが記憶されている。
【００１３】
配電盤１にはＲＦＩＤタグ３から発信される機器属性データを読み取るリーダー４が設置されている。リーダー４は、ＲＦＩＤタグ３に記憶されている機器属性データを読み取り、機器管理端末５へ送信する。機器管理端末５には、認識番号（機器ＩＤ），型式，推奨点検周期，使用開始年月、および点検実施日などのデータベースを有し、機器毎の属性データを格納している。
【００１４】
このような点検履歴管理システムは、メーカー（事業者）とユーザー（顧客）間で次のようにしてビジネスが行われる。メーカーは定期点検を要する機器毎に一意の認識番号
（機器ＩＤ）を記憶したＲＦＩＤタグ３を取付けた機器２や配電盤１、及びＲＦＩＤタグ３の認識番号を利用した機器管理端末５を納入し、ユーザーは機器管理端末５により点検履歴を管理する。さて、図１の構成において、機器２に取付けられているＲＦＩＤタグ３の発信する機器属性データは、リーダー４に読み込まれ機器管理端末５に送信される。機器管理端末５はｎ台の配電盤１に取付けられているリーダー４からの機器属性データを受信して、各配電盤１毎に収納されている機器属性データを入力する。
【００１５】
ＲＦＩＤタグ３とリーダー４の間は無線通信が行われる。機器管理端末５は受信した機器属性データを確認することにより機器管理を行える。機器管理端末５は入力された機器属性データより、図２に示すような表で管理される。表には、認識番号（機器ＩＤ），型式，タグ番号，推奨点検周期，使用開始年月、および点検実施日などの項目が記載される。一般に機器のタグ番号は、重複しないよう付番されることから、配電盤１毎の機器管理が行える。機器管理端末５は定期点検を要する機器２の点検時期が近づいてきたら、点検計画を促すメッセージを発生する。ユーザー（顧客）はこのメッセージにより機器の点検計画を行えるので、点検機会を逸することを防止できる。
【００１６】
メーカー（事業者）またはユーザー（顧客）は、機器の点検を実施する毎にライタ６によりＲＦＩＤタグ３の点検履歴データを書き換え、これをリーダー４で読み取り、機器管理端末５へ与えることにより、点検履歴のデータを蓄積する。ユーザー（顧客）は、機器の点検が実施されたことを機器管理端末５の画面上で確認することが出来る。例えば、配電盤１−（１）の機器ＩＤ１を点検したとすると、配電盤１−（１）の機器ＩＤ１の点検実施日は、「※※年／※※月」となる。
【００１７】
次に機器の点検を実施した際、当該点検作業に従事した従事者と確認者の個人ＩＤを登録（読み取り）し、点検記録を自動生成することができる。
【００１８】
これまで本発明の実施例を説明したが、次に機器の交換が行われ、データの更新が必要となった場合の管理について図３により説明する。
【００１９】
メーカー（事業者）は、新品の機器に対して機器ＩＤと点検時期を含む機器属性データが記憶されているＲＦＩＤタグ３を取り付ける。リーダー４で読み取った機器Ｄは、タグ番号をキーワードにして、機器管理端末５へ反映され、継続して管理される。
【００２０】
以上のようにして機器の点検履歴管理を行うのであるが、複数の機器毎に機器ＩＤと点検時期を含む機器属性データが記憶されているＲＦＩＤタグを取付け、ＲＦＩＤタグから読み取った機器属性データに基づき、膨大な数の機器の点検時期を機器管理端末により一括管理するようにしているので、点検機器の抽出を漏れなく短時間で行うことができ、かつ、今後の点検計画を確実に行うことができる。
【００２１】
このように、原子力プラントで使用されている複数の機器毎に機器ＩＤと点検時期を含む機器属性データが記憶されているＲＦＩＤタグを取付け、リーダーによってＲＦＩＤタグから読み取った機器属性データに基づき、複数の機器の点検履歴，点検時期を機器管理端末により管理するようにしたことにある。機器管理端末により管理するため、点検機器の抽出を容易、且つ漏れなく短時間で行うとともに、機器の点検を確実に行うことができる。
【００２２】
また、機器管理端末より抽出した機器データと、点検作業日時、および作業従事者と作業確確認者の個人ＩＤから点検記録を自動生成することができる。
【００２３】
原子力プラントで使用されている複数の機器毎に機器ＩＤと点検時期を含む機器属性データが記憶されているＲＦＩＤタグを取付け、リーダーによってＲＦＩＤタグから読み取った機器属性データに基づき、複数の機器の点検履歴，点検時期を機器管理端末により管理するようにしているので、点検機器の抽出を容易、且つ漏れなく短時間で行うとともに、機器の点検を確実に行うことができる。
【００２４】
また、機器管理端末より抽出した機器データと、点検作業日、および作業従事者と作業確認者の個人ＩＤから点検記録の自動生成を行うことが可能であるので、点検記録作成工数の低減が図られる。
【００２５】
なお、原子力プラント以外の機器の定期点検を行っている設備に対しても適用できる。
【図面の簡単な説明】
【００２６】
【図１】本発明の実施例を示す構成図である。
【図２】本発明の機器管理データの一例図である。
【図３】本発明の機器交換時の機器管理データの一例図である。
【図４】本発明の点検記録の一例図である。
【符号の説明】
【００２７】
１…配電盤、２…点検機器、３…ＲＦＩＤタグ、４…リーダー、５…機器管理端末、６…ライタ。
【図１】
2007026128.tif 000003
【図２】
2007026128.tif 000004
【図３】
2007026128.tif 000005
【図４】
2007026128.tif 000006